【手続補正書】
【提出日】平成17年8月16日(2005.8.16)
【手続補正１】
【補正対象書類名】特許請求の範囲
【補正対象項目名】全文
【補正方法】変更
【補正の内容】
【特許請求の範囲】
【請求項１】
ＬＯ（Local Oscillator）を調整するための周波数推定値を獲得する方法において、
ａ）データシンボルおよびミッドアンブルを含むタイムスロットを有する通信信号を受信するステップと、
ｂ）前記受信された信号のサンプルと既知のミッドアンブル基準とのブロック相関を所定のＮ回行うステップと、
ｃ）前記Ｎ回のブロック相関の共役積をＮ−１個求めるステップと、
ｄ）前記Ｎ−１個の共役積の和を求めるステップと、
ｅ）ステップ（ｄ）で得られた前記Ｎ−１個の共役積の和を所定数積算するステップと、
ｆ）得られた積算値のマグニチュードを判定するステップと、
ｇ）所定個数の最大値をサーチするステップと、
ｈ）最大値の関数である閾値を使用して最大値以外の前記所定個数の最大値の閾値検出を行うステップと、
ｉ）最大値と、該最大値以外の前記所定個数の最大値のうちの前記閾値を超える値とを結合するステップと、
ｊ）ステップ（ｉ）で得られた前記和を計算するステップと、
ｋ）ステップ（ｊ）で得られた和を使用して、ステップ（ｉ）で得られた複素数値を正規化するステップと、
ｌ）ステップ（ｋ）で正規化により得られた複素数値の偏角を周波数推定値として使用するステップと
を備えたことを特徴とする方法。
【請求項２】
請求項１において、
ｍ）ＶＯＳ（voltage controlled oscillator）の動作周波数を調整する電圧値を得るためのループフィルタに、ステップ（ｌ）で得られた周波数推定値を供給するステップを
さらに備えたことを特徴とする方法。
【請求項３】
請求項２において、ステップ（ｍ）で得られた周波数推定値は、デジタルフォーマットであり、
本方法は、
ｎ）前記デジタルフォーマットをアナログ電圧に変換するステップ
をさらに備えたことを特徴とする方法。
【請求項４】
請求項３において、さらに
ｏ）前記アナログ電圧を前記ＶＯＳに供給するステップを
備えたことを特徴とする方法。
【請求項５】
請求項１において、ステップ（ｂ）は、Ｎ＝４の場合に、４つのブロック相関を行うステップを備えたことを特徴とする方法。
【請求項６】
請求項１において、ステップ（ｅ）は、絶対周波数エラーに基づいて前記積算される和の数を調整するステップを含み、積算される和の数は、周波数エラーが少なくなればなるほど、少なくなることを特徴とする方法。
【請求項７】
請求項６において、前記絶対周波数エラーの範囲は、一般的に、０Ｈｚから６０００Ｈｚまでの範囲であることを特徴とする方法。
【請求項８】
請求項７において、積算される和の数は、１から３０までの範囲にあることを特徴とする方法。
【請求項９】
請求項１において、ステップ（ｆ）ないし（ｌ）は、ステップ（ｅ）で、積算される和の所定数に達したとき、実施されることを特徴とする方法。
【請求項１０】
請求項１において、ステップ（ｈ）で採用した閾値は、最大のＤ値を０．７０７倍ないし０．５６倍して得られた値であることを特徴とする方法。
【請求項１１】
請求項１において、ステップ（ａ）において受信された通信信号は、ミッドアンブル長が５１２チップであり、全て、ステップ（ｂ）で相関がとられることを特徴とする方法。
【請求項１２】
請求項１において、ステップ（ａ）において受信された信号の前記ミッドアンブルは、ミッドアンブル長が５１２チップであり、最初の５６チップが、前記ステップ（ｂ）の実施において無視されることを特徴とする方法。
【請求項１３】
請求項１において、ステップ（ｉ）は、１つのパスのみがステップ（ｉ）の前記閾値を満たす状況で、さらに、前記２つのパスと等しいゲインとを結合するステップを備えたことを特徴とする方法。
【請求項１４】
請求項１において、０．９９の確率で所定個数のフレームにおける周波数推定値の所要の精度への収束は、推定された周波数エラーを閾値と比較することによって判定され、推定された周波数エラーが所定の検出閾値未満であるとき、収束が得られることを特徴とする方法。
【請求項１５】
請求項１において、０．９９の確率で所定個数のフレームにおける周波数推定値の所要の精度への収束は、２つの周波数推定値が所定の検出閾値未満であるとき判定されることを特徴とする方法。
【請求項１６】
請求項１において、０．９９の確率で所定個数のフレームにおける周波数推定値の所要の精度への収束は、２つの連続的な周波数推定値が所定の検出閾値未満であるとき判定されることを特徴とする方法。
【請求項１７】
請求項１において、０．９９の確率で所定個数のフレームにおける周波数推定値の所要の精度への収束は、周波数推定値の２点の移動平均が前記検出閾値未満であるとき判定されることを特徴とする方法。
【請求項１８】
請求項１において、周波数オフセットを測定するステップと、
前記周波数オフセットが４００Ｈｚ未満であるときに同報通信チャネル（ＢＣＨ）を読み取るステップと
をさらに備えたことを特徴とする方法。
【請求項１９】
請求項１８において、前記絶対周波数オフセット閾値が４６５Ｈｚ以上のとき前記ＢＣＨの検出を防止するステップをさらに備えたことを特徴とする方法。
【請求項２０】
請求項１において、前記ループフィルタのループゲインは、０１．から０．３までの範囲にあることを特徴とする方法。
【請求項２１】
請求項２０において、前記ループゲインは、好ましくは、０．２６であることを特徴とする方法。
【請求項２２】
請求項１において、ステップ（ｉ）において得られた複素数値の偏角θは、
【数１】
2005505966.tif 000001
に従って評価されることを特徴とする方法。
【請求項２３】
請求項２において、ループフィルタは、値ｖ（ｔ）を生成し、ｖ（ｔ）＝ｖ（ｔ−１）＋λε（ｔ）であり、ｖ（ｔ−１）が以前の推定値、εが前記周波数推定値、λが定数であることを特徴とする方法。
【請求項２４】
請求項１において、本方法がインプリメントされた無線通信システムにおいて受信された信号は、同じ長さのフレームであって、所定数のチップを有するタイムスロットを所定数有するフレームを複数含むことを特徴とする方法。
【請求項２５】
請求項２４において、前記タイムスロットは、それぞれ、ミッドアンブルによって分離される第１および第２のグループのデータシンボルを有する２５６０チップを有することを特徴とする方法。
【請求項２６】
請求項２５において、前記データシンボルグループは、それぞれ、９７６チップを有し、前記ミッドアンブルは、５１２チップを有し、前記ミッドアンブルに続く前記グループのデータシンボルには、９６チップのガード期間が続くことを特徴とする方法。
【請求項２７】
ＬＯ（Local Oscillator）を調整するための周波数推定値を獲得する装置において、
データシンボルおよびミッドアンブルを含むタイムスロットを有する通信信号を受信する手段と、
前記受信された信号サンプルと既知のミッドアンブル基準とのブロック相関を所定のＮ回行う手段と、
前記Ｎ回のブロック相関の共役積をＮ−１個求める手段と、
前記Ｎ−１個の共役積の和を求める手段と、
前記和を求める手段により得られたＮ−１個の共役積の和を所定数積算する手段と、
得られた積算値のマグニチュードを判定する手段と、
所定個数の最大値をサーチする手段と、
最大値の関数である閾値を使用して最大値以外の前記所定個数の最大値の閾値検出を行う手段と、
最大値と、該最大値以外の前記所定の個数の最大値のうちの前記閾値を超える値とを結合する手段と、
前記結合する手段によって得られた前記和を計算する手段と、
前記計算する手段によって得られた和を使用して前記結合する手段によって得られた複素数値を正規化する手段と、
前記正規化する手段によって得られた前記正規化された複素数値の偏角を周波数推定値のために生成する手段と
を備えたことを特徴とする装置。
【請求項２８】
請求項２７において、前記生成する手段は、前記周波数推定値を、ＶＯＳの動作周波数を調整するためのループフィルタに供給することを特徴とする装置。
【請求項２９】
請求項２８において、前記周波数推定値を生成する手段は、デジタルフォーマットされた出力を生成し、
本装置は、
前記デジタルフォーマットされた出力をアナログ信号に変換し前記ＶＯＳに供給する手段
を有することを特徴とする装置。
【請求項３０】
請求項２７において、前記ブロック相関をとる手段は、４つのブロック相関を行う手段を備えたことを特徴とする装置。
【請求項３１】
請求項２７において、前記積算する手段は、絶対周波数エラーに基づいて前記積算される和の数を調整する手段を含み、前記積算される和の数は、周波数エラーが少なくなればなるほど、少なくなることを特徴とする装置。
【請求項３２】
請求項２７において、前記閾値検出手段によって使用される前記閾値は、最大のＤ値を０．７０７倍ないし０．５６倍して得られた値であることを特徴とする装置。
【請求項３３】
請求項２７において、前記受信された信号は、ミッドアンブル長が５１２チップであり、全て、前記相関手段により相関がとられることを特徴とする装置。
【請求項３４】
請求項２７において、前記閾値検出手段と、判定する手段に応答する手段であって２つのパスを等しいゲインに結合する手段とによって供給される閾値を１つのパスのみが満たすかどうかを判定する手段を有することを特徴とする装置。
【請求項３５】
請求項２７において、０．９９の確率で所定個数のフレームにおける周波数推定値の所要の精度への収束は、推定された周波数エラーと閾値とを比較する手段によって判定され、推定された周波数エラーが所定の検出閾値未満であるとき、収束が得られたことを特徴とする装置。
【請求項３６】
請求項２７において、０．９９の確率で所定個数のフレームにおける周波数推定値の所要の精度への収束は、２つの周波数推定値が所定の検出閾値未満であるとき、収束を識別する手段によって判定されることを特徴とする装置。
【請求項３７】
請求項２７において、０．９９の確率で所定個数のフレームにおける周波数推定値の所要の精度への収束は、２つの連続的な周波数推定値が所定の検出閾値を未満であるとき、収束を識別する手段によって判定されることを特徴とする装置。
【請求項３８】
請求項２７において、０．９９の確率で所定個数のフレームにおける周波数推定値の所要の精度への収束は、周波数推定値の２点の移動平均が前記検出閾値未満であるとき、収束を識別する手段によって判定されることを特徴とする装置。
【請求項３９】
請求項２７において、周波数オフセットを測定する手段と、前記周波数オフセットが４００Ｈｚ未満であるときに同報通信チャネル（ＢＣＨ）を読み取る手段とをさらに備えたことを特徴とする装置。
【請求項４０】
請求項１において、ステップ（ｇ）でサーチされる前記最大値の所定の個数は、３であることを特徴とする方法。
【請求項４１】
請求項２７において、前記サーチする手段は、３つの最大値をサーチすることを特徴とする装置。
【請求項４２】
請求項１において、ステップ（ｂ）は、周波数オフセットに基づいてブロック相関サイズを調整するステップを含み、前記ブロック相関サイズは、前記オフセットが大きくなればなるほど、小さくなることを特徴とする方法。
【請求項４３】
請求項２７において、前記実施する手段は、周波数オフセットに基づいてブロック相関サイズを調整する手段を含み、前記ブロック相関サイズは、前記オフセットが大きくなればなるほど、小さくなることを特徴とする装置。